(57)【要約】【課題】構造がコンパクトで小型化が可能なカード計数収納装置を提供することを目的とする。【解決手段】カードを積層貯蔵するカード貯蔵部からカードを供給するカード計数供給手段と、前記カード計数供給手段により供給されるカードを搬送するカード搬送手段と、前記カード搬送手段に設けられるカード計数手段と、前記カード搬送手段から搬送されるカードを積層収納する計数カード収納手段を有し、前記計数カード収納手段をガイド部材に沿って上下に駆動する駆動手段と、前記計数カード収納手段の最上動位置近傍に仕切り紙貯蔵部を設け、前記仕切り紙貯蔵部から前記計数カード収納手段の上動位置で計数カード収納手段に仕切り紙を供給する仕切り紙給手段を設け、前記計数カード収納手段の下動位置で搬送手段から搬送されたカードを計数カード収納手段に積層収納し、前記計数カード収納手段の下動位置及び上動位置を、計数カード収納部のカード積層高さに応じて制御することを特徴とする。【選択図】      図３
2004307074.tif 000002
【特許請求の範囲】
【請求項１】
カードを積層貯蔵するカード貯蔵部からカードを供給するカード供給手段と、前記カード供給手段により供給されるカードを搬送するカード搬送手段と、前記カード搬送手段に設けられるカード計数手段と、前記カード搬送手段から搬送されるカードを積層収納する計数カード収納手段を有し、前記計数カード収納手段をガイド部材に沿って上下に駆動する駆動手段と、前記計数カード収納手段の上動の最上位の位置近傍に仕切り紙貯蔵部を設け、前記仕切り紙貯蔵部から前記計数カード収納手段の上動位置で計数カード収納手段に仕切り紙を供給する仕切り紙給手段を設け、前記計数カード収納手段の下動位置で搬送手段から搬送されたカードを計数カード収納手段に積層収納し、前記計数カード収納手段の下動位置及び上動位置を、計数カード収納部のカード積層高さに応じて制御することを特徴とする仕切り紙挿入型カード計数収納装置。
【請求項２】
前記カード供給手段及びカード搬送手段を、前記係数カード収納手段の上下駆動に同期して駆動することを特徴とする請求項１に記載の仕切り紙挿入型カード計数収納装置。
【請求項３】
前記計数カード収納手段の下動位置及び上動位置は、前記計数カード収納手段の上下動をガイドするガイド部材に沿って設置される複数の光センサ等からなるカード積層高さ検知手段からの信号により制御されることを特徴とする請求項１又は２に記載の仕切り紙挿入型カード計数収納装置。
【発明の詳細な説明】
【０００１】
【発明の属する技術分野】
本発明は、トランプ、テレホンカード、クレジットカード等のカードを計数し積層収納する仕切り紙挿入型カード計数収納装置に関する。
【０００２】
【従来の技術】
従来、カードを所定枚数計数して仕分け収納する装置としては、所定枚数に計数されたカードを、夫々別の収納部に搬送して仕分け収納する装置が実施されている。
【０００３】
【特許文献１】
特開２００１−６２１号公報
【０００４】
【発明が解決しようとする課題】
しかし、従来のカード計数収納装置は、計数されたカードをそれぞれ別の収納部にそれぞれ別のカード搬送手段により振り分けて収納するため、複数のカード搬送手段と計数カード収納部を必要とし、そのため装置が大型になり、設置に多くの面積を必要とするという問題点を有するものであった。
【０００５】
本発明は、従来のカード計数収納装置の持つ問題点を解消した、構造がコンパクトで小型化が可能な仕切り紙挿入型カード計数収納装置を提供することを目的とする。
【０００６】
【課題を解決するための手段】
本第１発明は、前記課題を解決するために、カードを積層貯蔵するカード貯蔵部からカードを供給するカード計数供給手段と、前記カード計数供給手段により供給されるカードを搬送するカード搬送手段と、前記カード搬送手段に設けられるカード計数手段と、前記カード搬送手段から搬送されるカードを積層収納する計数カード収納手段を有し、前記計数カード収納手段をガイド部材に沿って上下に駆動する駆動手段と、前記計数カード収納手段の上動位置近傍に仕切り紙貯蔵部を設け、前記仕切り紙貯蔵部から前記計数カード収納手段の上動位置で計数カード収納手段に仕切り紙を供給する仕切り紙給手段を設け、前記計数カード収納手段の下動位置で搬送手段から搬送されたカードを計数カード収納手段に積層収納し、前記計数カード収納手段の下動位置及び上動位置を、計数カード収納部のカード積層高さに応じて制御することを特徴とする。
【０００７】
本第２発明は、本第１発明の仕切り紙挿入型カード計数収納装置において、前記カード供給手段及びカード搬送手段を、前記係数カード収納手段の上下駆動に同期して駆動することを特徴とする。
【０００８】
本第３発明は、本第１又は本第２発明の仕切り紙挿入型カード計数収納装置において、前記計数カード収納手段の下動位置及び上動位置は、前記計数カード収納手段の上下動をガイドするガイド部材に沿って設置される複数の光センサ等からなるカード積層高さ検知手段からの信号により制御されることを特徴とする。
【０００９】
【作用】
本発明の計数カード収納手段を上下に駆動し、前記計数カード収納手段の最上動位置近傍に設置される仕切り紙貯蔵部と、前記仕切り紙貯蔵部から前記計数カード収納手段の最上動位置で所定枚数計数され積層されたカードの上に仕切り紙を供給する仕切り紙給手段を設け、前記計数カード収納手段の下動位置及び上動位置を、計数カード収納手段の積層高さに応じて制御する構成により、計数されたカードを積層収納する計数カード収納手段が１つで済み、カード搬送手段も１つで済むので、装置をコンパクトで小型化なものとすることができ、計数されたカード及び仕切り紙を計数カード収納手段への供給が安定して実施可能とする。
また、カード供給手段及びカード搬送手段を、前記係数カード収納部の上下動に同期して駆動する構成により、上下動する計数カード収納手段への計数されたカードの積層収納と仕切り紙の挿入が効率良く実施できる。
さらに、計数カード収納手段の下動位置を、前記計数カード収納手段を上下自在にガイドするガイド部材に沿って設置される複数の光センサ等からなる積層高さ検知手段により制御する構成により、搬送手段の端部と計数カード収納手段に積層収納されたカードの積層位置との位置関係を常に一定とし、計数されたカードの計数カード収納手段へのカードの積層収納が安定して実施可能とする。
【００１０】
【発明の実施の形態】
本発明の実施の形態を図により説明する。図１は、本発明の仕切り紙挿入型カード計数収納装置の全体を示す概略図であり、図２は、本発明の仕切り紙挿入型カード計数収納装置中のカード貯蔵部とカード供給手段の概略図であり、図３は、本発明の仕切り紙挿入型カード計数収納装置の計数カード収納手段、仕切り紙貯蔵部及び仕切り紙供給手段を示す概略図である。
【００１１】
仕切り紙挿入型カード計数収納装置１は、機台２に設置され、カード貯蔵部３、カード供給部４、カード搬送部５、計数カード収納部６、ガイド部７、仕切り紙貯蔵部８、仕切り紙供給部９、仕切り紙搬送部１０により構成される。
【００１２】
図２に示されるように、カード貯蔵部３は、カード１１を積層して貯蔵する前方に傾斜したセットガイド部１２と前方に傾斜した底板１３及びカード供給開口１４を有する。カード貯蔵部３に積層して貯蔵されるカード１１は、傾斜した底板１３から自重によりカード供給口１４に供給される。
【００１３】
前記カード供給開口１４の下流側にカード供給部４が設置される。カード供給部４は、カード供給開口１４の下部に設置されるカード供給ローラ１５と、前記カード供給ローラ１５の上部に位置するバネ等の付勢手段１６により下向きに付勢されたスチールボールからなる抵抗回転体１７とにより構成される。カード供給ローラ１４がモータ等の駆動手段１８の駆動により回転し、カード供給口１４の最下位のカードをカード搬送部５に送り出す。回転抵抗体１７は、一枚のカード１１が抵抗回転体１７を押し上げている場合は、そのカード１１の通過を許容し、二枚以上のカード１１の通過を阻止するように、バネ等の付勢手段１６の下向きの付勢力が調節される。
【００１４】
前記カード供給部４の下流側に設置されるカード搬送部５は、前方に傾斜した搬送路の上下に複数のカード搬送ローラ１９が設置され、上下のカード搬送ローラ１９は、前記カード供給ローラ１５と同一の駆動手段１８の駆動力をベルト、歯車等の駆動力伝達手段及び電磁クラッチを介して回転駆動される。カード供給ローラ１５及びカード搬送ローラ１９の回転駆動は、駆動手段１８の駆動が継続された状態で、カード搬送部５の端部に設置される光電センサ等からなるカード計数手段２０により計数され、所定枚数の最後のカードの通過を検知すると、電磁クラッチ（図示せず）をＯＦＦとして停止する。
【００１５】
カード搬送部５の下流側端部に計数カード収納部６とガイド部７が設置される。計数カード収納部４は、前方に傾斜したガイド部材２１から構成されるガイド部材７に沿って上下に駆動される計数カード収納ボックス２２を有する。計数カード収納ボックス２２は、モータ等の駆動手段２３によりガイド部材２１に沿って上下に駆動される。計数カード収納ボックス２２の上動の最上位位置の近傍に仕切り紙貯蔵部８が設置される。
【００１６】
計数カード収納ボックス２２は、前面が開口し、背面中央に縦方向スリットが形成された箱状に形成され、ガイド部材２１には、計数カード収納ボックス２２の背面の縦方向スリットに対応する位置に縦方向に所定間隔をおいて複数の積層高さ検知用センサ２４が設置される。また、ガイド部材２１には、カード搬送部５の端部近傍に位置させて、計数カード収納ボックス２２も下動位置決定センサ２５が設置される。
【００１７】
仕切り紙貯蔵部８は、カード１１とは異なる色の仕切り紙２７が貯蔵される。仕切り紙貯蔵部８の下流側に仕切り紙供給部９と仕切り紙搬送部１０が設置される。仕切り紙貯蔵部８、仕切り紙供給部９及び仕切り紙搬送部１０の構成は、前記カード貯蔵部３、カード供給部４及びカード搬送部５の構成と同様にする。仕切り紙搬送部１０の端部には、仕切り紙２６の通過を検知する仕切り紙通過センサ２８が設置される。また、ガイド部材２１には、仕切り紙搬送部１０の端部の近傍に位置させて、計数カード収納ボックス２０の上動位置決定センサ２６を設置する。
【００１８】
本発明の仕切り紙挿入型カード計数収納装置１の使用状態を説明する。
１．計数カード収納ボックス２２の底板とカード搬送部５の端部位置を所定の位置関係とし、電磁クラッチをＯＮとし、カード供給ローラ１５及びカード搬送ローラ１９を駆動し、カード貯蔵部３から所定枚数のカード１０を供給・搬送する。
２．カード搬送部５に設置したカード計数手段２０が所定枚数のカード１０の通過を検知すると、電磁クラッチをＯＦＦとし、カード供給ローラ１５及びカード搬送ローラ１９の駆動を停止する。
３．計数カード収納ボックス２２のカード１０の積層高さが、積層高さ検知用センサ２４により検知され、そのデータと計数カード収納ボックス２２の上動位置決定センサ２６及び下動位置決定センサ２５からの信号により、上動位置及び下動位置が決定され、計数カード収納ボックス２２が上動し、上動位置に達すると、仕切り紙貯蔵部８から、仕切り紙供給部９、仕切り紙搬送部１０を経て、カード１０と異なる色の仕切り紙２７が所定枚数に積層されたカード１０の上に落下積層される。
４．仕切り紙２７を供給された計数カード収納ボックス２２は前記のように決定された下動位置まで下動し、再び、カード搬送部５から計数されたカードが供給される。
５．前記１〜４の工程を繰り返し、計数カード収納ボックスに所定枚数のカード１０、仕切り紙２６、所定枚数のカード１０を順次積層していく。
６．計数カード収納ボックス２２のカード積層高さが所定に達すると、作業を一端中断し、計数カード収納ボックス２２内に積層されたカード１０を搬送する。
【００１９】
【発明の効果】
本発明の計数カード収納手段を上下に駆動し、前記計数カード収納手段の最上動位置近傍に設置される仕切り紙貯蔵部と、前記仕切り紙貯蔵部から前記計数カード収納手段の最上動位置で所定枚数計数され積層されたカードの上に仕切り紙を供給する仕切り紙供給手段を設け、前記計数カード収納手段の最下動位置及び最上動位置を、計数カード収納手段の積層高さに応じて制御する構成により、計数されたカードを積層収納する計数カード収納手段が１つで済み、カード搬送手段も１つで済むので、装置をコンパクトで小型化なものとすることができ、計数されたカード及び仕切り紙を計数カード収納手段への供給が安定して実施可能とする。
また、カード供給手段及びカード搬送手段を、前記係数カード収納部の上下動に同期して駆動する構成により、上下動する計数カード収納手段への計数されたカードの積層収納と仕切り紙の挿入が効率良く実施できる。
さらに、計数カード収納手段の最下動位置を、前記計数カード収納手段を上下自在にガイドするガイド部材に沿って設置される複数の光センサ等からなる積層高さ検知手段により制御する構成により、搬送手段の端部と計数カード収納手段に積層収納されたカードの積層位置との位置関係を常に一定とし、計数されたカードの計数カード収納手段へのカードの積層収納が安定して実施可能とする。
【図面の簡単な説明】
【図１】本発明の一実施形態を示す概略図。
【図２】本発明の一実施形態の一部概略図。
【図３】本発明の一実施形態の一部概略図。
【符号の説明】
１：仕切り紙挿入型カード計数収納装置
２：機台
３：カード貯蔵部
４：カード供給部
５：カード搬送部
６：計数カード収納部
７：ガイド部
８：仕切り紙貯蔵部
９：仕切り紙供給部
１０：仕切り紙搬送部
１１：カード
１２：セットガイド部
１３：底板
１４：カード供給開口
１５：カード供給ローラ
１６：付勢手段
１７：抵抗回転体
１８：駆動手段
１９：カード搬送ローラ
２０：カード計数手段
２１：ガイド部材
２２：計数カード収納ボックス
２３：駆動手段
２４：カード積層高さ検知センサ
２５：下動位置決定センサ
２６：上動位置決定センサ
２７：仕切り紙
２８：仕切り紙通過センサ
【図１】
2004307074.tif 000003
【図２】
2004307074.tif 000004
【図３】
2004307074.tif 000005